(57)【要約】【課題】      コンテンツのタイトルを表示する多機能機において、省エネルギーを図ることができる技術を提供すること。【解決手段】  多機能機は、各コンテンツのコンテンツタイトル文字列を表示することができる。ユーザに各コンテンツのコンテンツタイトル文字列を提供することができる。多機能機は、省電力状態１７０または待機状態１７４のときに機能実行指示が入力されたときに、機能実行状態１７８に移行する。機能実行状態１７８では、コンテンツタイトル文字列が表示される。多機能機は、フィード情報終了タイマが制限時間を越えた場合に、待機状態１７４に移行して、コンテンツタイトル文字列の表示を中止する。多機能機は、待機状態１７４の間に省電力状態移行タイマが制限時間を越えた場合には、表示パネルをオフして省電力状態１７０に移行する。【選択図】  図６
2010079363.tif 000002
【特許請求の範囲】
【請求項１】
処理実行指示に従って処理を実行する処理実行装置であり、
各コンテンツのタイトルを少なくとも含むコンテンツ要約情報の位置情報を記憶することが可能である位置情報記憶手段と、
位置情報記憶手段に記憶されている位置情報からコンテンツ要約情報を取得する要約情報取得手段と、
処理実行指示を入力する指示入力手段と
情報を表示するための表示手段と、
要約情報取得手段によって取得されたコンテンツ要約情報に含まれる各コンテンツのタイトルを表示手段に表示させる第１状態と、各コンテンツのタイトルを表示手段に表示させない第２状態と、第１状態および第２状態より省電力であるとともに各コンテンツのタイトルを表示手段に表示させない第３状態との間で切換可能である表示制御手段とを備えており、
表示制御手段は、第２状態または第３状態のときに指示入力手段において処理実行指示が入力された場合に第１状態に移行させ、第１状態のときに予め決められている第１条件が成立した場合に第２状態に移行させ、第２状態のときに予め決められている第２条件が成立した場合に第３状態に移行させる
ことを特徴とする処理実行装置。
【請求項２】
ネットワークに通信可能に接続される請求項１の処理実行装置であり、
位置情報記憶手段は、前記ネットワークを構成する装置を特定する装置特定情報とコンテンツ要約情報の位置情報とが対応づけられている組合せ情報を複数記憶することが可能であり、
要約情報取得手段は、位置情報記憶手段に記憶されている各位置情報からコンテンツ要約情報を取得することが可能であり、
指示入力手段は、前記ネットワークから出力された第１処理実行指示を入力することが可能であり、
第１処理実行指示は、出力元の装置特定情報を含んでおり、
表示制御手段は、指示入力手段において入力された第１処理実行指示に含まれる装置特定情報に対応づけられている位置情報から要約情報取得手段によって取得されたコンテンツ要約情報に含まれる各コンテンツのタイトルを表示させる
ことを特徴とする処理実行装置。
【請求項３】
第１処理実行指示に基づいて各コンテンツのタイトルが表示手段に表示されている間に、指示入力手段において他の第１処理実行指示が入力された場合に、前者の第１処理実行指示に含まれる装置特定情報と後者の第１処理実行指示に含まれる装置特定情報とが一致するのか否かを判断する第１判断手段をさらに備えており、
表示制御手段は、コンテンツ要約情報に含まれる各コンテンツのタイトルを所定の順序に従って表示手段に表示させるものであり、
表示制御手段は、第１判断手段によって否定的に判断されたことを条件として、前記後者の第１処理実行指示に含まれる装置特定情報に対応づけられている位置情報から要約情報取得手段によって取得されたコンテンツ要約情報に含まれる各コンテンツのタイトルのうち前記所定の順序に従った先頭のタイトルから順に表示手段に表示させ、
表示制御手段は、第１判断手段によって肯定的に判断されたことを条件として、前記前者の第１処理実行指示に基づいて表示されている各コンテンツのタイトルを継続して表示手段に表示させる
ことを特徴とする請求項２の処理実行装置。
【請求項４】
ネットワークに通信可能に接続される請求項１から３のいずれか一項に記載の処理実行装置であり、
スキャン手段をさらに備えており、
位置情報記憶手段は、前記ネットワークを構成する装置を特定する装置特定情報とコンテンツ要約情報の位置情報とが対応づけられている組合せ情報を複数記憶することが可能であり、
要約情報取得手段は、位置情報記憶手段に記憶されている各位置情報からコンテンツ要約情報を取得することが可能であり、
指示入力手段は、スキャンデータの出力先の装置特定情報を指定することを含む第２処理実行指示を入力することが可能であり、
スキャン手段は、指示入力手段において第２処理実行指示が入力された場合に、当該第２処理実行指示に従ってスキャンすることによってスキャンデータを作成し、当該第２処理実行指示において指定された装置特定情報を出力先として当該スキャンデータを出力し、
表示制御手段は、指示入力手段において第２処理実行指示が入力された場合に、当該第２処理実行指示において指定された装置特定情報に対応づけられている位置情報から要約情報取得手段によって取得されたコンテンツ要約情報に含まれる各コンテンツのタイトルを表示手段に表示させる
ことを特徴とする処理実行装置。
【請求項５】
第２判断手段をさらに備えており、
指示入力手段は、前記ネットワークから出力された第１処理実行指示を入力することが可能であり、
第１処理実行指示は、出力元の装置特定情報を含んでおり、
表示制御手段は、指示入力手段において入力された第１処理実行指示に含まれる装置特定情報に対応づけられている位置情報から要約情報取得手段によって取得されたコンテンツ要約情報に含まれる各コンテンツのタイトルを表示させ、
第２判断手段は、第１処理実行指示に基づいて各コンテンツのタイトルが表示手段に表示されている間に、指示入力手段において第２処理実行指示が入力された場合に、前者の第１処理実行指示に含まれる装置特定情報と後者の第２処理実行指示において指定された装置特定情報とが一致するのか否かを判断し、
表示制御手段は、コンテンツ要約情報に含まれる各コンテンツのタイトルを所定の順序に従って表示手段に表示させるものであり、
表示制御手段は、第２判断手段によって否定的に判断されたことを条件として、前記後者の第２処理実行指示において指定された装置特定情報に対応づけられている位置情報から要約情報取得手段によって取得されたコンテンツ要約情報に含まれる各コンテンツのタイトルのうち前記所定の順序に従った先頭のタイトルから順に表示手段に表示させ、
表示制御手段は、第２判断手段によって肯定的に判断されたことを条件として、前記前者の第１処理実行指示に基づいて表示されている各コンテンツのタイトルを継続して表示手段に表示させる
ことを特徴とする請求項４に記載の処理実行装置。
【請求項６】
第３判断手段をさらに備えており、
指示入力手段は、前記ネットワークから出力された第１処理実行指示を入力することが可能であり、
第１処理実行指示は、出力元の装置特定情報を含んでおり、
表示制御手段は、指示入力手段において入力された第１処理実行指示に含まれる装置特定情報に対応づけられている位置情報から要約情報取得手段によって取得されたコンテンツ要約情報に含まれる各コンテンツのタイトルを表示させ、
第３判断手段は、第２処理実行指示に基づいて各コンテンツのタイトルが表示手段に表示されている間に、指示入力手段において第１処理実行指示が入力された場合に、前者の第２処理実行指示において指定された装置特定情報と後者の第１処理実行指示に含まれる装置特定情報とが一致するのか否かを判断し、
表示制御手段は、コンテンツ要約情報に含まれる各コンテンツのタイトルを所定の順序に従って表示手段に表示させるものであり、
表示制御手段は、第３判断手段によって否定的に判断されたことを条件として、前記後者の第１処理実行指示に含まれる装置特定情報に対応づけられている位置情報から要約情報取得手段によって取得されたコンテンツ要約情報に含まれる各コンテンツのタイトルのうち前記所定の順序に従った先頭のタイトルから順に表示手段に表示させ、
表示制御手段は、第３判断手段によって肯定的に判断されたことを条件として、前記前者の第２処理実行指示に基づいて表示されている各コンテンツのタイトルを継続して表示手段に表示させる
ことを特徴とする請求項４又は５に記載の処理実行装置。
【発明の詳細な説明】
【技術分野】
【０００１】
本発明は、処理実行指示に従って処理を実行する処理実行装置に関する。特に、コンテンツのタイトルを表示する処理実行装置に関する。
【背景技術】
【０００２】
様々なコンテンツがネットワーク上で公開されている。各コンテンツのＵＲＬと各コンテンツのタイトルとを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、フィード情報を取得して各コンテンツのタイトルを表示するためのソフトウェアが開示されている。このソフトウェアをＰＣにインストールすると、ユーザは、各コンテンツのタイトルを見ることができる。ユーザがタイトルをクリックすると、ＰＣは、ブラウザを起動し、そのタイトルに対応するコンテンツのＵＲＬにアクセスする。これにより、ＰＣにおいてコンテンツが表示される。
【０００３】
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００４】
処理実行装置においてコンテンツのタイトルを常に表示するという手法が考えられる。しかしながら、この手法では、ユーザが処理実行装置を使用していない間にもコンテンツのタイトルが表示されることになり、省エネルギーの観点から見て好ましくない。
【０００５】
本明細書では、コンテンツのタイトルを表示する処理実行装置において、省エネルギーを図ることができる技術を開示する。
【０００６】
本明細書によって開示される技術は、処理実行指示に従って処理を実行する処理実行装置である。上記の「処理実行装置」は、ユーザからの処理実行指示が入力された場合に、処理を実行するあらゆるデバイスを含む概念である。処理実行装置の一例として、プリンタ、スキャナ、コピー機、ファクシミリ、多機能機等を挙げることができる。処理実行装置は、位置情報記憶手段と要約情報取得手段と指示入力手段と表示手段と表示制御手段を備えている。これらの各手段について、以下に詳しく説明する。
【０００７】
位置情報記憶手段は、各コンテンツのタイトルを少なくとも含むコンテンツ要約情報の位置情報を記憶することが可能である。上記の「位置情報」という用語は、コンテンツ要約情報の位置を特定することができるあらゆる情報を含む概念である。位置情報の一例として、例えば、ＵＲＬ（Ｕｎｉｆｏｒｍ  Ｒｅｓｏｕｒｃｅ  Ｌｏｃａｔｏｒ）等を挙げることができる。また、上記の「コンテンツ」は、テキストデータであってもよいし、他の種類のデータ（画像データ、音楽データ、映像データ）であってもよい。要約情報取得手段は、位置情報記憶手段に記憶されている位置情報からコンテンツ要約情報を取得する。指示入力手段は、処理実行指示を入力する。例えば、指示入力手段は、ネットワークに接続されるインターフェイスであってもよい。この場合、指示入力手段は、ネットワークから送られてくる処理実行指示を入力する。また、例えば、指示入力手段は、ユーザが操作することを許容する操作手段であってもよい。この場合、指示入力手段は、ユーザの操作に応じた処理実行指示を入力する。なお、上記の「処理実行指示」によって指示される処理の内容は特に限定されない。処理実行指示の一例として、印刷指示、コピー指示、スキャン指示、通信指示（例えばＦＡＸ送信指示）、表示処理等が含まれる。
【０００８】
表示制御手段は、要約情報取得手段によって取得されたコンテンツ要約情報に含まれる各コンテンツのタイトルを表示手段に表示させる第１状態と、各コンテンツのタイトルを表示手段に表示させない第２状態と、第１状態および第２状態より省電力であるとともに各コンテンツのタイトルを表示手段に表示させない第３状態との間で切換可能である。なお、表示制御手段は、他の状態を含む４つ以上の状態の間で表示手段の表示を切換えてもよい。
【０００９】
表示制御手段は、第２状態または第３状態のときに指示入力手段において処理実行指示が入力された場合に第１状態に移行させ、第１状態のときに予め決められている第１条件が成立した場合に第２状態に移行させ、第２状態のときに予め決められている第２条件が成立した場合に第３状態に移行させる。上記の「予め決められている第１条件」および「予め決められている第２条件」の一例として、各コンテンツのタイトルの表示を開始してから所定時間が経過すること、ユーザが表示中止指示を処理実行装置に入力すること等を挙げることができる。第１条件と第２条件は同じ条件であってもよいし、異なる条件であってもよい。
【００１０】
上記の処理実行装置は、処理実行指示が入力された場合に、各コンテンツのタイトルが表示される第１状態を実現することができる。処理実行指示が入力される状況では、ユーザが処理実行装置の近傍に存在する可能性（もしくはユーザが処理実行装置に近づく可能性）が高い。各コンテンツのタイトルをユーザが見ることができる可能性が高い状況において各コンテンツのタイトルを表示することができる。各コンテンツのタイトルが表示されているときに予め決められている第１条件が成立した場合に、表示手段が第２状態に移行して、各コンテンツのタイトルの表示が中止される。各コンテンツのタイトルが常に表示されるわけではないために、各コンテンツのタイトルを常に表示する手法と比べると、省エネルギーの観点において優れている。また、第２状態が表示されているときに予め決められている第２条件が成立した場合に、表示手段が第２状態より省電力である第３状態に移行する。このために、エネルギーの消費をより抑制することができる。第３状態の間に処理実行指示が入力された場合に第２状態に移行させる手法も考えられるが、この場合、各コンテンツのタイトルをユーザが見ることができる可能性が高い状況であるにもかかわらず、各コンテンツのタイトルが表示されないことになる。第３状態の間に処理実行指示が入力された場合に第１状態に移行させることによって、処理実行装置の近傍に存在するユーザに各コンテンツのタイトルを提供することができる。この処理実行装置は、省エネルギーを実現しながら、各コンテンツのタイトルをユーザに提供することができる。
【００１１】
上記の処理実行装置は、ネットワークに通信可能に接続されるものであってもよい。また、位置情報記憶手段は、ネットワークを構成する装置を特定する装置特定情報とコンテンツ要約情報の位置情報とが対応づけられている組合せ情報を複数記憶することが可能であってもよい。上記の「装置特定情報」は、装置を特定することができるあらゆる情報を含む概念である。装置特定情報の一例として、ＩＰアドレス、ＭＡＣアドレス、ノード名、ユーザ名、ホスト名等を挙げることができる。また、上記の「組合せ情報」は、装置特定情報とコンテンツ要約情報の位置情報とが１対１に対応づけられている場合に限定されるものではない。複数の装置特定情報が１つの位置情報に対応づけられていてもよい。逆に、複数の位置情報が１つの装置特定情報に対応づけられていてもよい。また、要約情報取得手段は、位置情報記憶手段に記憶されている各位置情報からコンテンツ要約情報を取得することが可能であってもよい。また、指示入力手段は、ネットワークから出力された第１処理実行指示を入力することが可能であってもよい。なお、上記の「第１処理実行指示」によって指示される処理の内容は特に限定されない。第１処理実行指示の一例として、印刷指示、スキャン指示、通信指示（例えばＦＡＸ送信指示）、表示処理等を挙げることができる。また、第１処理実行指示は、出力元の装置特定情報を含んでいてもよい。また、表示制御手段は、指示入力手段において入力された第１処理実行指示に含まれる装置特定情報に対応づけられている位置情報から要約情報取得手段によって取得されたコンテンツ要約情報に含まれる各コンテンツのタイトルを表示させてもよい。
【００１２】
上記の構成によると、ユーザは、自身が使用する装置の装置特定情報と、自身が見ることを希望するコンテンツ要約情報の位置情報とが対応づけられている組合せ情報を、位置情報記憶手段に記憶させることができる。ユーザは、ネットワークを利用して第１処理実行指示を処理実行装置に出力することができる。この場合、第１処理実行指示を出力したユーザが所望するコンテンツ要約情報（各コンテンツのタイトル）が、処理実行装置において表示される。
【００１３】
処理実行装置は、第１判断手段をさらに備えていてもよい。第１判断手段は、第１処理実行指示に基づいて各コンテンツのタイトルが表示手段に表示されている間に、指示入力手段において他の第１処理実行指示が入力された場合に、前者の第１処理実行指示に含まれる装置特定情報と後者の第１処理実行指示に含まれる装置特定情報とが一致するのか否かを判断してもよい。また、表示制御手段は、コンテンツ要約情報に含まれる各コンテンツのタイトルを所定の順序に従って表示手段に表示させるものであってもよい。また、表示制御手段は、第１判断手段によって否定的に判断されたことを条件として、後者の第１処理実行指示に含まれる装置特定情報に対応づけられている位置情報から要約情報取得手段によって取得されたコンテンツ要約情報に含まれる各コンテンツのタイトルのうち上記の所定の順序に従った先頭のタイトルから順に表示手段に表示させてもよい。なお、上記の「条件として」という用語は、他の条件（ＡＮＤ条件及び／又はＯＲ条件）が付加されるのを排除するものではない。「条件として」という用語を使用した場合、他の条件が付加されてもよい。以下でも、「条件として」という用語を使用する場合は同様である。表示制御手段は、第１判断手段によって肯定的に判断されたことを条件として、前者の第１処理実行指示に基づいて表示されている各コンテンツのタイトルを継続して表示手段に表示させてもよい。
【００１４】
上記の構成によると、装置Ｄ１から出力された第１処理実行指示に基づいて各コンテンツのタイトルが表示されている間に、他の装置Ｄ２から出力された第１処理実行指示が入力された場合には、装置Ｄ２のユーザが所望するコンテンツ要約情報（各コンテンツのタイトル）を表示することができる。一方において、装置Ｄ１から出力された第１処理実行指示に基づいて各コンテンツのタイトルが表示されている間に、同じ装置Ｄ１から出力された第１処理実行指示が入力された場合には、装置Ｄ１のユーザが所望するコンテンツ要約情報（各コンテンツのタイトル）を継続して表示することができる。
【００１５】
処理実行装置は、スキャン手段をさらに備えていてもよい。位置情報記憶手段は、ネットワークを構成する装置を特定する装置特定情報とコンテンツ要約情報の位置情報とが対応づけられている組合せ情報を複数記憶することが可能であってもよい。要約情報取得手段は、位置情報記憶手段に記憶されている各位置情報からコンテンツ要約情報を取得することが可能であってもよい。また、指示入力手段は、スキャンデータの出力先の装置特定情報を指定することを含む第２処理実行指示を入力することが可能であってもよい。また、スキャン手段は、指示入力手段において第２処理実行指示が入力された場合に、第２処理実行指示に従ってスキャンすることによってスキャンデータを作成し、第２処理実行指示において指定された装置特定情報を出力先としてスキャンデータを出力してもよい。また、表示制御手段は、指示入力手段において第２処理実行指示が入力された場合に、第２処理実行指示において指定された装置特定情報に対応づけられている位置情報から要約情報取得手段によって取得されたコンテンツ要約情報に含まれる各コンテンツのタイトルを表示手段に表示させてもよい。
【００１６】
上記の構成によると、ユーザは、自身が使用する装置の装置特定情報と、自身が見ることを希望するコンテンツ要約情報の位置情報とが対応づけられている組合せ情報を、位置情報記憶手段に記憶させることができる。ユーザは、第２処理実行指示を入力する際に、自身が使用する装置の装置特定情報をスキャンデータの出力先として指定することができる。この場合、スキャンデータの出力先として指定された装置のユーザ（即ち、第２処理実行指示を実行したユーザ）が所望するコンテンツ要約情報（各コンテンツのタイトル）が、処理実行装置において表示される。
【００１７】
処理実行装置は、第２判断手段をさらに備えていてもよい。第２判断手段は、第１処理実行指示に基づいて各コンテンツのタイトルが表示手段に表示されている間に、指示入力手段において第２処理実行指示が入力された場合に、前者の第１処理実行指示に含まれる装置特定情報と後者の第２処理実行指示において指定された装置特定情報とが一致するのか否かを判断してもよい。また、表示制御手段は、コンテンツ要約情報に含まれる各タイトルを所定の順序に従って表示手段に表示させるものであってもよい。また、表示制御手段は、第２判断手段によって否定的に判断されたことを条件として、後者の第２処理実行指示において指定された装置特定情報に対応づけられている位置情報から要約情報取得手段によって取得されたコンテンツ要約情報に含まれる各コンテンツのタイトルのうち上記の所定の順序に従った先頭のタイトルから順に表示手段に表示させてもよい。また、表示制御手段は、第２判断手段によって肯定的に判断されたことを条件として、前者の第１処理実行指示に基づいて表示されている各コンテンツのタイトルを継続して表示手段に表示させてもよい。
【００１８】
上記の構成によると、装置Ｄ１から出力された第１処理実行指示に基づいて各コンテンツのタイトルが表示されている間に、他の装置Ｄ２をスキャンデータの出力先とする第２処理実行指示が入力された場合には、装置Ｄ２のユーザが所望するコンテンツ要約情報（各コンテンツのタイトル）を表示することができる。一方において、装置Ｄ１から出力された第１処理実行指示に基づいて各コンテンツのタイトルが表示されている間に、同じ装置Ｄ１をスキャンデータの出力先とする第２処理実行指示が入力された場合には、装置Ｄ１のユーザが所望するコンテンツ要約情報（各コンテンツのタイトル）を継続して表示することができる。
【００１９】
処理実行装置は、第３判断手段をさらに備えていてもよい。第３判断手段は、第２処理実行指示に基づいて各コンテンツのタイトルが表示手段に表示されている間に、指示入力手段に第１処理実行指示が入力された場合に、前者の第２処理実行指示が入力される際に指定された装置特定情報と後者の第１処理実行指示に含まれる装置特定情報とが一致するのか否かを判断してもよい。また、表示制御手段は、コンテンツ要約情報に含まれる各タイトルを所定の順序に従って表示手段に表示させてもよい。また、表示制御手段は、第３判断手段によって否定的に判断されたことを条件として、後者の第１処理実行指示に含まれる装置特定情報に対応づけられている位置情報から要約情報取得手段によって取得されたコンテンツ要約情報に含まれる各タイトルのうち上記の所定の順序に従った先頭のタイトルから順に表示手段に表示させてもよい。また、表示制御手段は、第３判断手段によって肯定的に判断されたことを条件として、前者の第２処理実行指示に基づいて表示されている各コンテンツのタイトルを継続して表示手段に表示させるものであってもよい。
【００２０】
上記の構成によると、装置Ｄ１をスキャンデータの出力先とする第２処理実行指示に基づいて各コンテンツのタイトルが表示されている間に、他の装置Ｄ２から出力された第１処理実行指示が受信された場合には、装置Ｄ２のユーザが所望するコンテンツ要約情報（各コンテンツのタイトル）を表示することができる。一方において、装置Ｄ１をスキャンデータの出力先とする第２処理実行指示に基づいて各コンテンツのタイトルが表示されている間に、同じ装置Ｄ１から出力された第１処理実行指示が入力された場合には、装置Ｄ１のユーザが所望するコンテンツ要約情報（各コンテンツのタイトル）を継続して表示することができる。
【発明を実施するための最良の形態】
【００２１】
下記に説明する実施例に記載されている技術の一部を列記する。
（形態１）  コンテンツのことを「サイト内の複数の情報のうちの１つの情報」と言い換えてもよい。上記の複数の情報のそれぞれは、１つのＵＲＬに対応している。従って、コンテンツのことを「サイト内の１つのＵＲＬに対応している情報」と言い換えることもできる。また、コンテンツ要約情報のことを「フィード情報」と言い換えてもよい。
【００２２】
（形態２）コンテンツ要約情報は、サイト情報を含んでいてもよい。サイト情報は、サイトのタイトルを含んでいてもよい。コンテンツ要約情報は、複数のコンテンツのそれぞれについて、当該コンテンツのタイトル文字列と当該コンテンツのＵＲＬとを含んでいてもよい。コンテンツ要約情報は、複数のコンテンツのそれぞれについて、当該コンテンツが更新された日時を示す情報を含んでいてもよい。コンテンツ要約情報は、複数のコンテンツのそれぞれについて、当該コンテンツの文字列が要約された要約文字列を含んでいてもよい。要約文字列は、コンテンツのタイトルより多い文字列であってもよい。
【００２３】
（形態３）処理実行装置は、予め決められている更新タイミングに従って、コンテンツ要約情報の位置情報（例えばＵＲＬ等）に定期的にアクセスしてもよい。これにより、処理実行装置は、最新のコンテンツ要約情報を取得することができる。
【００２４】
（形態４）指示入力手段は、ボタン（キー）を押下することによって指示を入力するものであってもよい。指示入力手段は、パネルに表示されたボタンをタッチすることによって指示を入力するものであってもよい。
【００２５】
（形態５）処理実行装置は、指示入力手段において第１処理実行指示が入力された場合に、当該第１処理実行指示に従って印刷する手段を備えていてもよい。なお、処理実行装置のことを、「機能実行指示（例えば印刷機能実行指示）に従って機能を実行する機能実行装置」と言い換えることができる。
【００２６】
（形態６）位置情報記憶手段は、コンテンツ要約情報の位置情報とユーザ名とが対応づけられている第１組合せ情報を複数記憶することが可能である第１記憶手段と、ユーザ名と装置特定情報とが対応づけられている第２組合せ情報を複数記憶することが可能である第２記憶手段とを有する。この形態は、コンテンツ要約情報の位置情報と装置特定情報とが対応づけられている組合せ情報が複数記憶される構成に等しい。
【００２７】
（形態７）第１状態の一例として、印刷指示、スキャン指示、通信指示（例えばＦＡＸ送信指示）等に従って処理が実行されている状態を挙げることができる。第１状態の別の例として、処理実行装置が実行可能である複数の処理の中から１つの処理をユーザが選択することを許容するメニューが表示されている状態を挙げることができる。この場合、第２状態の一例として、コンテンツのタイトルが表示されていないとともに、上記のメニューが表示されている状態を挙げることができる。第３状態の一例として、表示手段に何も表示されていない状態を挙げることができる。
【実施例】
【００２８】
図面を参照して実施例を説明する。図１は、本実施例の多機能機システム２の概略図を示す。多機能機システム２は、多機能機１０と複数のＰＣ７０，７１と複数のコンテンツ提供サーバ９０，９１と備える。なお、図１では、１つの多機能機１０と２つのＰＣ７０，７１と２つのコンテンツ提供サーバ９０，９１しか示されていないが、これらの数は適宜変更することができる。多機能機１０は、ＬＡＮ回線４に接続されている。各ＰＣ７０，７１は、ＬＡＮ回線４に接続されている。ＬＡＮ回線４は、ルータ６を介してインターネット８に接続されている。各コンテンツ提供サーバ９０，９１は、インターネット８に接続されている。本実施例では、コンテンツ提供サーバ９０が１つのサイトを公開しており、コンテンツ提供サーバ９１が１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２９】
（ＰＣの構成）
図１は、ＰＣ７０の構成を示す。ＰＣ７１も、ＰＣ７０と同様の構成を有する。ＰＣ７０は、ＣＰＵ７２とハードディスク７４と表示部８２と操作部８４等を有する。なお、図１には示されていないが。ＰＣ７０は、ＬＡＮ回線４に接続されているネットワークインターフェイスも有している。
【００３０】
ＣＰＵ７２は、ハードディスク７４に記憶されている基本プログラム７６に従って様々な処理を実行する。ＣＰＵ７２が実行する処理については、後で詳しく説明する。基本プログラム７６は、ＰＣ７０の基本的な動作を制御するためのプログラムである。基本プログラム７６は、例えば、インターネット８のサイトからコンテンツをダウンロードして表示するためのブラウザプログラム、印刷指示を多機能機に送信するためのプログラム等を含んでいる。
【００３１】
表示部８２は、様々な情報を表示することができる。操作部８４は、キーボードやマウスによって構成される。ユーザは、操作部８４を操作することによって、様々な指示や情報をＰＣ７０に入力することができる。
【００３２】
（多機能機の構成）
図２は、多機能機１０の構成を示す。多機能機１０は、制御部１２と表示パネル５０とキーパッド５２と印刷部５４とスキャン部５６とＦＡＸ部５８とネットワークインターフェイス６０とＰＳＴＮインターフェイス６２等を有する。制御部１２は、ＣＰＵ１４とＲＯＭ１６とＲＡＭ３０とＮＶＲＡＭ４０等を有する。
【００３３】
ＣＰＵ１４は、ＲＯＭ１６に記憶されているプログラム１８〜２６に従って様々な処理を実行する。ＣＰＵ１４が実行する処理については、後で詳しく説明する。ＲＯＭ１６は、様々なプログラム１８〜２６を記憶している。基本機能プログラム１８は、多機能機１０の基本的な動作を制御するためのプログラムである。基本機能プログラム１８は、例えば、表示パネル５０に表示される表示データを生成するためのプログラムを含んでいる。また、基本機能プログラム１８は、例えば、印刷部５４、スキャン部５６、ＦＡＸ部５８等を制御するためのプログラムを含んでいる。インターネット接続プログラム２０は、インターネット８に接続するためのプログラムである。フィード情報解析プログラム２２は、コンテンツ提供サーバ９０，９２から取得されるフィード情報を解析し、表示パネル５０で表示するための情報（以下では表示情報と呼ぶ）を作成するためのプログラムである。フィード情報表示プログラム２４は、表示情報を表示するためのプログラムである。
【００３４】
ＲＡＭ３０は、様々な記憶領域３２〜３６を有する。基本機能ワーク領域３２は、基本機能プログラム１８に従って処理が実行される過程で生成される各種データを記憶するための記憶領域である。フィード情報解析ワーク領域３４は、フィード情報解析プログラム２２に従って処理が実行される過程で作成される各種データを記憶するための記憶領域である。表示情報記憶領域３６は、フィード情報解析プログラム２２に従って作成される表示情報を記憶するための記憶領域である。
【００３５】
ＮＶＲＡＭ４０は、様々な記憶領域４２〜４６を有する。基本機能パラメータ記憶領域４２は、ＣＰＵ１４が基本機能プログラム１８に従って処理を実行する際に利用される各種パラメータ（例えば印刷設定、スキャン設定等）を記憶するための記憶領域である。ＵＲＬ記憶領域４４は、各コンテンツ提供サーバ９０，９１が有するフィード情報のＵＲＬを記憶するための記憶領域である。例えば、ユーザは、各コンテンツ提供サーバ９０，９１からのコンテンツ提供サービスを受けるための登録を行う必要がある。この登録は、多機能機１０を利用して実行されてもよいし、ＰＣ７０，７１を利用して実行されてもよい。例えば、ユーザがＰＣ７０を利用してコンテンツ提供サーバ９０からのコンテンツ提供サービスを受けるための登録を行った場合、コンテンツ提供サーバ９０のフィード情報のＵＲＬがＰＣ７０から多機能機１０に送信される。これにより、ＵＲＬ記憶領域４４にコンテンツ提供サーバ９０のフィード情報のＵＲＬが記憶される。
【００３６】
デフォルトＰＣ情報記憶領域４６は、ＰＣのＩＰアドレスやホスト名等のＰＣを識別するための情報（以下ではＰＣ識別情報と呼ぶ）を記憶している。ユーザは、自身が使用するＰＣ（例えばＰＣ７０）のＰＣ識別情報と自身のユーザ名とを多機能機１０に入力することができる。図２には、デフォルトＰＣ情報記憶領域４６の記憶内容の一例を示す。デフォルトＰＣ情報記憶領域４６は、ユーザによって入力されたＰＣ識別情報６４とユーザ名６６とを対応づけて記憶する。
【００３７】
表示パネル５０は、様々な情報を表示することができる。表示パネル５０は、タッチパネルとして機能する。キーパッド５２は、複数のキーによって構成される。ユーザは、キーパッド５２を操作することによって様々な指示や情報を多機能機１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０は、ＰＣ７０，７１と通信可能であるとともに、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行う際に利用される。
【００３８】
（ＵＲＬ記憶領域の記憶内容）
続いて、ＮＶＲＡＭ４０のＵＲＬ記憶領域４４（図２参照）の記憶内容について説明する。図３は、ＵＲＬ記憶領域４４の記憶内容の一例を示す。ＵＲＬ記憶領域４４は、各コンテンツ提供サーバ９０，９１のフィード情報のＵＲＬ１０２を記憶することが可能である。換言すると、ＵＲＬ記憶領域４４は、各サイトのフィード情報のＵＲＬ１０２を記憶することが可能である。上述したように、ユーザは、フィード情報のＵＲＬ１０２を多機能機１０に登録する必要がある。ＵＲＬ記憶領域４４は、フィード情報のＵＲＬ１０２と、そのＵＲＬ１０２を登録したユーザ名１０２とを対応づけて記憶する。図３の例では、フィード情報のＵＲＬ「ｈｔｔｐ：／／ｗｗｗ．ｅｘａｍｐｌｅ０．ｃｏｍ」は、ユーザ名「Ｘ」によって登録されたものである。なお、ＵＲＬ記憶領域４４には、１つのＵＲＬ１００に対して１つのユーザ名１０２のみが対応づけられてもよいし、１つのＵＲＬ１００に対して複数のユーザ名１０２が対応づけられてもよい。
【００３９】
（表示情報記憶領域の記憶内容）
続いて、ＲＡＭ３０の表示情報記憶領域３６（図２参照）の記憶内容について説明する。図４は、表示情報記憶領域３６の記憶内容の一例を示す。表示情報記憶領域３６は、ＵＲＬ記憶領域４４に記憶されているＵＲＬ毎に表示情報１１２を記憶することが可能である。換言すると、表示情報記憶領域３６は、ＵＲＬ記憶領域４４に記憶されているサイト毎に表示情報１１２を記憶することが可能である。上述したように、ＵＲＬ記憶領域４４には各ユーザ名１０２に対応づけられたＵＲＬ１００が記憶されている（図３参照）。このために、表示情報記憶領域３６にも各ユーザ名１１０に対応づけられた表示情報１１２が記憶されている。
【００４０】
個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。サイトのタイトルのことを「サイトの名称」と言い換えることもできる。フィード更新日時情報１２４は、コンテンツ提供サーバにおいてフィード情報が更新された日時（最新の更新日時）に関する情報である。
【００４１】
表示情報１１２は、更新コンテンツ情報１３２を含んでいる。更新コンテンツ情報１３２の数は、サイトが有するコンテンツの数に等しい。例えば、図４では、ユーザ名「Ｘ」に対応する表示情報１１２は、ｍ個（ｍは１以上の整数）の更新コンテンツ情報１３２を有する。これは、ユーザ名「Ｘ」に対応づけられたサイト「ｈｔｔｐ：／／ｗｗｗ．ｅｘａｍｐｌｅ０．ｃｏｍ」がｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施例では、識別番号１３０を符号「ｊ」で表現する。
【００４２】
各更新コンテンツ情報１３２は、コンテンツタイトル文字列１４０とコンテンツ更新日時情報１４２とコンテンツ要約文字列１４４とコンテンツＵＲＬ１４６を含んでいる。上記の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。コンテンツタイトル文字列１４０は、コンテンツのタイトルの文字列である。コンテンツのタイトルのことを「コンテンツの名称」と言い換えることもできる。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００４３】
（ＰＣが実行する処理）
続いて、ＰＣ７０が実行する処理について説明する。ＰＣ７１も同様の処理を実行する。ユーザは、ＰＣ７０の操作部８４を操作することによって、多機能機１０に印刷させるための指示をＰＣ７０に入力することができる。ＰＣ７０のＣＰＵ７２は、この指示が入力されると、ＰＣ７０のＩＰアドレスを含む印刷指示を多機能機１０に送信する。
【００４４】
（多機能機が実行するフィード情報解析処理）
続いて、多機能機１０が実行するフィード情報解析処理について説明する。フィード情報解析処理は、独立したタスクとして動作し、インターネット接続プログラム２０とフィード情報解析プログラム２２（図２参照）に従って多機能機１０の起動時から実行される。図５は、フィード情報解析処理のフローチャートを示す。
【００４５】
ＣＰＵ１４は、更新時刻に到達するまで待機する（Ｓ４０）。更新時刻は、例えば、ユーザによって設定されてもよいし、プログラムによって決められていてもよい。更新時刻に到達するとＳ４２に進む。
【００４６】
Ｓ４２では、ＣＰＵ１４は、ＮＶＲＡＭ４０のＵＲＬ記憶領域４４（図３参照）から各ＵＲＬ１００を取得する（Ｓ４２）。次いで、ＣＰＵ１４は、インターネット接続プログラム２０に従って、Ｓ４２で取得されたＵＲＬにアクセスし、フィード情報を取得する（Ｓ５０）。フィード情報は、図４に示されるサイト情報１２０や更新コンテンツ情報１３２を含んでいる。ＣＰＵ１４は、フィード情報を解析することによって、図４に示される表示情報１１２を作成する（Ｓ５２）。ＣＰＵ１４は、Ｓ５２で作成された表示情報１１２を表示情報記憶領域３６に記憶させる（Ｓ５４）。例えば、ユーザＸに対応づけられているＵＲＬ「ｈｔｔｐ：／／ｗｗｗ．ｅｘａｍｐｌｅ０．ｃｏｍ」に対応するサイトの新たな表示情報１１２が作成された場合、ＣＰＵ１４は、古い表示情報１１２をクリアし、新たな表示情報１１２を記憶させる。ＣＰＵ１４は、ＵＲＬ記憶領域４４に記憶されている全てのＵＲＬ１００からフィード情報を取得して表示情報１１２を作成すると、Ｓ４０に戻る。図５に示す処理を実行することにより、表示情報記憶領域３６に各サイトの最新のフィード情報が記憶される。
【００４７】
（多機能機の表示パネルの状態）
続いて、多機能機１０の表示パネル５０における複数の状態について説明する。図６は、複数の状態が移り変わる様子を説明するための図を示す。また、図１０は、各状態に対応する表示パネル５０の一例を示す。図６に示すように、多機能機１０は、省電力状態１７０、待機状態１７４、機能実行状態１７８等を含む複数の状態を有する。省電力状態１７０では、図１０の最も上の図に示すように表示パネル５０に何も表示されない（表示パネル５０のバックライトがＯＦＦされている）。このため、省電力状態１７０は、他の状態１７４，１７８に比べて省電力である。省電力状態１７０の間に機能実行指示（例えば印刷指示、スキャン指示等）が入力されると、機能実行状態１７８に移行する。機能実行状態１７８では、図１０の上から２番目の図に示すように表示パネル５０にコンテンツタイトル文字列１６２が表示される。また、表示パネル５０に実行中の機能に関する情報（図１０の例では「印刷中」の文字）が表示される。実行中の機能が終了すると、図１０の下から２番目の図に示されるように、実行中の機能に関する情報の表示が中止される。以下では、図１０の下から２番目の図の状態ことを「中間状態」と呼ぶ。中間状態では、機能を選択するための情報１６０が表示されるとともに、コンテンツタイトル文字列１６２が表示される。中間状態においてフィード情報終了タイマが制限時間を越えると、待機状態１７４に移行する。待機状態１７４では、図１０の最も下の図に示すように、コンテンツタイトル文字列１６２は表示されず、機能を選択するための情報１６０のみが表示される。このため、待機状態１７４（図１０の最も下の図）は、中間状態及び機能実行状態１７８に比べて省電力である。ユーザは、情報１６０を操作することによって機能実行指示を多機能機１０に入力することができる。
【００４８】
待機状態１７４の間に省電力状態移行タイマが制限時間を越えると省電力状態１７０に移行する。省電力状態１７０では、図１０の一番上の図に示すように表示パネル５０に何も表示されない（表示パネル５０のバックライトがＯＦＦされている）。このため、省電力状態１７０は、機能実行状態１７８、中間状態、及び、待機状態１７４に比べて省電力である。省電力状態１７０、待機状態１７４、又は、中間状態の間に機能実行指示が入力されると、機能実行状態１７８に移行する。なお、機能実行状態１７８の間に他の機能実行指示が入力される可能性がある。この場合、機能実行状態１７８が継続される。
【００４９】
（多機能機が実行する表示処理）
続いて、多機能機１０のＣＰＵ１４がフィード情報を表示するための表示処理について説明する。表示処理は、独立したタスクとして動作し、フィード情報表示プログラム２４（図２参照）に従って多機能機１０の起動時から実行される。図７は、表示処理のフローチャートを示す。
【００５０】
Ｓ７０では、ＣＰＵ１４は、省電力状態１７０において指示が入力されるまで待機する。ユーザは、省電力状態１７０において表示パネル５０にタッチしたり、キーパッド５２を操作したりすることができる。この場合、Ｓ７２に進む。また、ユーザは、ＰＣ７０，７１から印刷指示を多機能機１０に出力することができる。印刷指示が入力された場合も、Ｓ７２に進む。なお、Ｓ７０において何らかの指示が入力されると、ＣＰＵ１４は、図１０の最も下の図に示される内容を表示パネル５０に表示する。Ｓ７２では、ＣＰＵ１４は、ユーザ特定処理を行う（Ｓ７２）。ユーザ特定処理の内容については、次に詳しく説明する。
【００５１】
（ユーザ特定処理）
図９は、ユーザ特定処理のフローチャートを示す。ＣＰＵ１４は、スキャン機能の実行指示が入力されたのか否かを判断する（Ｓ１１２）。ユーザは、図１０に示されるＳｃａｎのボタン１６０を操作することができる。さらに、ユーザは、キーパッド５２を操作することによって、スキャンデータの出力先としてＰＣ識別情報（ＩＰアドレスやホスト名）を指定することができる。この場合、Ｓ１１２でＹＥＳと判断される。Ｓ１１２でＹＥＳの場合、ＣＰＵ１４は、スキャンデータの出力先のＰＣ識別情報に対応づけられているユーザ名をデフォルトＰＣ情報記憶領域４６（図２参照）から特定する（Ｓ１１６）。Ｓ１１６を終えると、図７のＳ７４に進む。
【００５２】
Ｓ１１２でＮＯの場合、ＣＰＵ１４は、印刷データを含む印刷指示が入力されたのか否かを判断する（Ｓ１１４）。ここでＹＥＳの場合、Ｓ１１８に進む。上述したように、印刷指示には、その印刷指示の出力元のＰＣ識別情報が含まれている。ＣＰＵ１４は、印刷指示に含まれるＰＣ識別情報を特定する。次いで、ＣＰＵ１４は、ここで特定されたＰＣ識別情報に対応づけられているユーザ名をデフォルトＰＣ情報記憶領域４６（図２参照）から特定する（Ｓ１１８）。Ｓ１１８を終えると、図７のＳ７４に進む。
【００５３】
なお、ユーザを特定することができない指示（スキャン機能の実行指示や印刷指示以外の指示）が多機能機１０に入力されることがある。この場合、ＣＰＵ１４は、Ｓ１１４でＮＯと判断し、図７のＳ７４に進む。
【００５４】
図７のＳ７４では、ＣＰＵ１４は、フィード情報終了タイマを初期化する（Ｓ７４）。フィード情報終了タイマは、コンテンツタイトル文字列１６２の表示を中止するための経過時間をカウントするタイマである。次いで、ＣＰＵ１４は、図９のユーザ特定処理で特定されたユーザ名（例えば「Ｘ」）に対応づけられている表示情報１１２をＲＡＭ３０の表示情報記憶領域３６から取得する（Ｓ７８）。なお、Ｓ７２のユーザ特定処理においてユーザ名を特定することができないことがある（図９のＳ１１４でＮＯの場合）。この場合、ＣＰＵ１４は、Ｓ７８において、表示情報記憶領域３６に記憶されている先頭の表示情報１１２を取得する。
【００５５】
続いて、ＣＰＵ１４は、Ｓ７８で取得された表示情報１１２に含まれる更新コンテンツ情報１３２の数を特定する（Ｓ８０）。例えば、ユーザ名「Ｘ」に対応づけられている表示情報１１２の場合、図４の例では、ｍ個のコンテンツが存在する。この場合、ＣＰＵ１４は、Ｓ８０において「ｍ」を特定する。次いで、ＣＰＵ１４は、カウンタｊを初期化する（Ｓ８２）。次いで、ＣＰＵ１４は、カウンタｊがｍより小さいのか否かを判断する（Ｓ８６）。ここでＹＥＳの場合、Ｓ９２に進む。
【００５６】
Ｓ９２では、ＣＰＵ１４は、Ｓ７８で特定された表示情報１１２からｊ番目の更新コンテンツ情報を取得する。これにより、１つのコンテンツのコンテンツタイトル文字列１４０とコンテンツ更新日時情報１４２とコンテンツ要約文字列１４４とコンテンツＵＲＬ１４６が取得される（Ｓ９２）。次いで、ＣＰＵ１４は、Ｓ９２で取得されたコンテンツタイトル文字列１４０と、Ｓ９２で取得されたコンテンツ更新日時情報１４２を表示パネル５０に送信する（Ｓ９４）。この結果、図１０に示すように、コンテンツタイトル文字列１６２が表示パネル５０に表示される。なお、コンテンツタイトル文字列１６２は、移動していく（例えば右から左に移動していく）。即ち、コンテンツタイトル文字列１６２は、テロップ状に表示される。なお、サイトタイトル文字列１２２、コンテンツ更新日時情報１４２、コンテンツ要約文字列１４４等は、表示パネル５０で表示されてもよいし、表示されなくてもよい。要約表示の画面を設けて表示を切り替えて表示させてもよい。また、サイト情報１２０に含まれるサイトタイトル文字列１２２、フィード更新日時情報１２４等は、表示パネル５０で表示されてもよいし、表示されなくてもよい。Ｓ９４を終えると、図８のＳ９６に進む。
【００５７】
図８のＳ９６では、ＣＰＵ１４は、イベントが発生するまで待機する。イベントが発生すると、Ｓ９８に進む。Ｓ９８では、ＣＰＵ１４は、コンテンツタイトル文字列１６２のテロップ表示が終了したのか否かを判断する。ここでＹＥＳの場合、ＣＰＵ１４は、カウンタｊに１を加算し（Ｓ１００）、Ｓ１０１に進む。Ｓ１０１では、ＣＰＵ１４は、Ｓ７４（もしくは後述するＳ１０６）で初期化されたフィード情報終了タイマが制限時間を越えているのか否かを判断する。ここでＮＯの場合、図７のＳ８６に戻る。Ｓ８６では、ＣＰＵ１４は、カウンタｊがｍより小さいのか否かを判断する。ここでＹＥＳと判断されると、ＣＰＵ１４は、Ｓ９２，Ｓ９４を再び実行する。これにより、次の更新コンテンツ情報（例えば１番目の更新コンテンツ情報）に基づいて、コンテンツタイトル文字列１６２がテロップ表示される。
【００５８】
図８のＳ１０１でＹＥＳの場合、Ｓ１０３に進む。Ｓ１０３では、ＣＰＵ１４は、コンテンツタイトル文字列１６２の表示を終了する。この結果、図１０の最も下の図のように、表示パネル５０には、情報１６０のみが表示される。続いて、ＣＰＵ１４は、省電力状態移行タイマを初期化する（Ｓ１０５）。次いで、ＣＰＵ１４は、ユーザから何らかの指示（情報１６０の操作、キーパッド５２の操作、印刷指示等）が入力されたのか否かを判断する（Ｓ１０７）。ここでＹＥＳの場合、ＣＰＵ１４は、Ｓ７２に戻ってユーザ特定処理を実行する。一方において、Ｓ１０７でＮＯの場合、ＣＰＵ１４は、Ｓ１０５で初期化された省電力状態移行タイマが制限時間を越えているのか否かを判断する（Ｓ１０９）。ここでＹＥＳの場合、ＣＰＵ１４は、表示パネル５０のバックライトをＯＦＦして省電力状態１７０に移行させる（Ｓ１１０）。次いで、Ｓ７０に戻って、指示が入力されるまで待機する。
【００５９】
図８のＳ９８でＮＯの場合、Ｓ９９に進む。Ｓ９９では、ＣＰＵ１４は、図９に示されるユーザ特定処理を実行する。ＣＰＵ１４は、ユーザ特定処理が終了すると、Ｓ１０２に進む。Ｓ１０２では、ＣＰＵ１４は、Ｓ９９で実行されたユーザ特定処理において、ユーザを特定することができる指示（本実施例では、印刷実行指示又はスキャン実行指示）が入力されたのか否かを判断する。ここでＹＥＳの場合、Ｓ１０８に進む。Ｓ１０８では、ＣＰＵ１４は、Ｓ９９で実行されたユーザ特定処理において特定されたユーザ名が、コンテンツタイトル文字列１６２が現在表示されている表示情報１１２に対応づけられているユーザ名と同じであるのか否かを判断する（Ｓ１０８）。ここでＹＥＳの場合、ＣＰＵ１４は、フィード情報終了タイマを初期化し（Ｓ１０６）、Ｓ９６に戻ってイベントが発生するまで待機する。即ち、同一のユーザ名であれば、そのユーザ名に対応づけられている表示情報１１２（コンテンツタイトル文字列１６２）が継続して表示される。一方において、Ｓ１０８でＮＯの場合、ＣＰＵ１４は、図７のＳ７４に戻ってフィード情報終了タイマを初期化する。この場合、ＣＰＵ１４は、Ｓ１０２で特定されたユーザ名に対応づけられている表示情報１１２を取得し（Ｓ７８）、その表示情報１１２に基づいてコンテンツタイトル文字列１６２を表示することを開始する（Ｓ９４）。
【００６０】
図８のＳ１０２でＮＯの場合、Ｓ１０４に進む。Ｓ１０４では、ＣＰＵ１４は、ユーザを特定することができる機能（本実施例では印刷又はスキャン）が動作を終了したのか否かを判断する。ここでＹＥＳの場合、ＣＰＵ１４は、フィード情報終了タイマを初期化して（Ｓ１０６）、Ｓ９６に戻ってイベントが発生するまで待機する。一方において、Ｓ１０４でＮＯの場合、ＣＰＵ１４は、イベントに応じた処理を実行し、Ｓ９６に戻って次のイベントが発生するまで待機する。なお、図８のフローチャートでは、Ｓ９８においてＮＯの場合に、ユーザを特定することができない指示（例えばキーパッド５２の操作等）を監視していないが、このような指示が入力された場合には、ＣＰＵ１４は、フィード情報終了タイマを初期化してＳ９６に戻ってもよい。
【００６１】
本実施例の多機能機システム２について詳しく説明した。多機能機１０は、各コンテンツのコンテンツタイトル文字列１６２を表示することができる。ユーザに各コンテンツのコンテンツタイトル文字列１６２を提供することができる。多機能機１０は、フィード情報終了タイマが制限時間を越えた場合に、コンテンツタイトル文字列１６２の表示を中止する。コンテンツタイトル文字列１６２が常に表示されるわけではないために、コンテンツタイトル文字列１６２を常に表示する手法と比べると、省エネルギーの観点において優れている。また、多機能機１０は、省電力状態移行タイマが制限時間を越えた場合には、表示パネル５０のバックライトをＯＦＦする。このために、消費電力をよりセーブすることができる。多機能機１０によると、省エネルギーを実現しながら、コンテンツタイトル文字列１６２をユーザに提供することができる。
【００６２】
また、多機能機１０は、例えばＰＣ７０から出力された印刷指示に基づいてコンテンツタイトル文字列１６２が表示されている間に、例えばＰＣ７１をスキャンデータの出力先とするスキャン機能の実行指示が入力された場合（図８のＳ１０８でＮＯの場合）には、ＰＣ７１のユーザによって登録されたサイトのフィード情報に含まれるコンテンツタイトル文字列１６２を表示することができる。一方において、多機能機１０は、例えばＰＣ７０から送信された印刷指示に基づいてコンテンツタイトル文字列１６２が表示されている間に、同じＰＣ７０をスキャンデータの出力先とするスキャン機能の実行指示が入力された場合（図８のＳ１０８でＹＥＳの場合）には、コンテンツタイトル文字列１６２を継続して表示することができる。この技術は、印刷指示に基づいてコンテンツタイトル文字列１６２が表示されている間に印刷指示が入力された場合、スキャン機能の実行指示に基づいてコンテンツタイトル文字列１６２が表示されている間に印刷指示が入力された場合、及び、スキャン機能の実行指示に基づいてコンテンツタイトル文字列１６２が表示されている間にスキャン機能の実行指示が入力された場合も同様に利用されている。
【００６３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００６４】
（１）上記の実施例では、各コンテンツ提供サーバ９０，９１は、コンテンツとフィード情報の両方を記憶している。しかしながら、コンテンツを記憶するためのサーバとフィード情報を記憶するためのサーバが別体に構成されていてもよい。
【００６５】
（２）上記の多機能機１０は、ブラウザプログラムを有していない。しかしながら、多機能機１０は、ブラウザプログラムを有していてもよい。多機能機１０は、コンテンツをダウンロードして表示パネル５０で表示してもよい。
【００６６】
（３）上記の実施例では、多機能機１０は、機能実行状態１７８と待機状態１７４と省電力状態１７０と中間状態の４つの状態を有している。しかしながら、多機能機１０は、異なる他の状態を表示することが可能であり、より複数の状態を有していてもよい。なお、多機能機１０は、機能実行状態１７８（図１０の上から２番目の図）が終了すると、中間状態を経ずに、待機状態１７４（図１０の最も下の図）に移行してもよい。
【００６７】
（４）多機能機１０は、他の機能（例えば、コピー機能、ＦＡＸ機能等）の実行指示が入力された場合に、その実行指示を入力したユーザに対応づけられた表示情報１１２を表示してもよい。
【００６８】
（５）上記の実施例では、ＣＰＵ１４は、ユーザ特定処理においてユーザ名が特定されたときに、特定されたユーザ名に対応づけられている表示情報１１２を更新する処理を開始してもよい。
【００６９】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【図面の簡単な説明】
【００７０】
【図１】多機能機システムの構成を示す。
【図２】多機能機の構成を示す。
【図３】ＵＲＬ記憶領域の記憶内容の一例を示す。
【図４】表示情報記憶領域の記憶内容の一例を示す。
【図５】多機能機が実行するフィード情報解析処理のフローチャートを示す。
【図６】多機能機の表示パネルの複数の状態を示す。
【図７】多機能機が実行する表示処理のフローチャートを示す。
【図８】図７の続きのフローチャートを示す。
【図９】多機能機が実行するユーザ特定処理のフローチャートを示す。
【図１０】表示パネルの表示内容が変化する様子を示す。
【符号の説明】
【００７１】
２：多機能機システム、１０：多機能機、５０：表示パネル、７０，７１：ＰＣ、９０，９１：コンテンツ提供サーバ、１１２：表示情報、１２０：サイト情報、１２２：サイトタイトル文字列、１２４：フィード更新日時情報、１３２：更新コンテンツ情報、１４０：コンテンツタイトル文字列、１４２：コンテンツ更新日時情報、１４４：コンテンツ要約文字列、１４６：コンテンツＵＲＬ、１７０：省電力状態、１７４：待機状態、１７８：機能実行状態
【図１】
2010079363.tif 000003
【図２】
2010079363.tif 000004
【図３】
2010079363.tif 000005
【図４】
2010079363.tif 000006
【図５】
2010079363.tif 000007
【図６】
2010079363.tif 000008
【図７】
2010079363.tif 000009
【図８】
2010079363.tif 000010
【図９】
2010079363.tif 000011
【図１０】
2010079363.tif 000012